(57)【要約】【課題】  パウチに容易に開口部を形成することができる機構が備えられた容器を提供する。【解決手段】  入口を有する容器であって、上記入口には、パウチに開口部を形成するための機能を有する開口部形成用部材が備えられていることを特徴とする容器。【選択図】  図１
2018199513.tif 000002
【特許請求の範囲】
【請求項１】
入口を有する容器であって、
前記入口には、パウチに開口部を形成するための機能を有する開口部形成用部材が備えられていることを特徴とする容器。
【請求項２】
前記容器は、液体洗剤用容器であり、
前記開口部形成用部材は、液体洗剤が封入されたパウチに開口部を形成するための機能を有する請求項１に記載の容器。
【請求項３】
前記開口部形成用部材は、針である請求項１又は２に記載の容器。
【請求項４】
前記開口部形成用部材は、刃である請求項１又は２に記載の容器。
【請求項５】
前記開口部形成用部材は、はさみである請求項１又は２に記載の容器。
【請求項６】
前記開口部形成用部材は、パンチである請求項１又は２に記載の容器。
【請求項７】
前記開口部形成用部材は、前記パウチの一部をパウチ片とし、前記パウチと前記パウチ片とを接続させたまま前記開口部を形成する機能を有する請求項１〜６のいずれかに記載の容器。
【請求項８】
容器の入口に取り付けるための装着部材と、
パウチに開口部を形成するための機能を有する開口部形成用部材とを備えることを特徴とする開口部形成用器具。
【発明の詳細な説明】
【技術分野】
【０００１】
本発明は、容器及び開口部形成用器具に関する。
【背景技術】
【０００２】
食器洗い用途等に用いられる液体洗剤は、通常、液体洗剤用容器に保管され、必要量だけ取り出して使用される。また、液体洗剤用容器から液体洗剤が無くなると、液体洗剤用容器に新たな液体洗剤を注ぎ、液体洗剤用容器は繰り返し使用されることになる。
液体洗剤用容器に注ぐ新たな液体洗剤は、パウチと呼ばれるプラスチック製の包装容器に封入されている。また、近年、搬送時の重量を低減するために、パウチには、濃縮された液体洗剤が封入されることがある。
特許文献１には、このようなパウチの一例が開示されている。
【先行技術文献】
【特許文献】
【０００３】
【特許文献１】特開２００３−７２７８０号公報
【発明の概要】
【発明が解決しようとする課題】
【０００４】
特許文献１に記載のパウチでは、高分子フィルムの縁部がシールされており、隅角部に設けられた切欠部をきっかけに斜め方向に手で引き裂くことで注ぎ口部を形成し、注ぎ口部から液体を注ぐことができるとされている。
【０００５】
特許文献１に記載のパウチのように、高分子フィルムからなるパウチの隅角部を手で引き裂くことで注ぎ口部を形成させる場合には、パウチの「引き裂き」を容易に行うことができることが望ましい。しかしながら、このようなパウチを用いた場合に、隅角部の引き裂きが困難である場合や、引き裂きにかなり強い力を要する場合があった。また、作業者が望む方向に引き裂くことができずに適当な広さの注ぎ口部を開口できない場合があった。
そして、適当な広さの注ぎ口部を開口できなかった場合には、液体を注ぐ際の作業性が低下することがあり、さらに、液体がこぼれて作業者の手等に付着するおそれがあった。
【０００６】
本発明は、上記問題点を解決するためになされた発明であり、本発明の目的は、パウチに容易に開口部を形成することができる機構が備えられた容器、及び、開口部形成用器具を提供することを目的とする。
【課題を解決するための手段】
【０００７】
すなわち、本発明の容器は、入口を有する容器であって、上記入口には、パウチに開口部を形成するための機能を有する開口部形成用部材が備えられていることを特徴とする。
【０００８】
本発明の容器には、入口に開口部形成用部材が備えられている。
そのため、作業者は開口部形成用部材を用いることにより、容易にパウチに開口部を形成することができる。また、パウチに開口部を形成後、速やかにパウチの内容物を、入口を通じ容器に移すことができる。
【０００９】
本発明の容器は、液体洗剤用容器であり、上記開口部形成用部材は、液体洗剤が封入されたパウチに開口部を形成するための機能を有することが望ましい。
【００１０】
パウチに液体洗剤が封入されている場合、作業者が、パウチを手で引き裂いて開口部を形成する場合、適当な広さの開口部を形成できない場合や、パウチを引き裂いた衝撃で液体がこぼれて作業者の手等に付着するおそれがある。
本発明の容器には、開口部形成用部材が備えられているので、作業者は適当な広さの開口部を形成することができる。また、余分な力を加えることなくパウチに開口部を形成することができるので、パウチを引き裂いた衝撃で液体洗剤がこぼれることを防止することができる。
【００１１】
また、パウチに開口部を形成してからパウチを移動させる場合、振動によりパウチ内の液体洗剤がこぼれてしまうことがある。
しかし、容器の入口に開口部形成用部材が備えられていると、パウチに開口部を形成すると同時に、パウチに封入された液体洗剤を液体洗剤用容器に注ぐことができる。従って、パウチから液体洗剤がこぼれることを防止することができる。
【００１２】
本発明の容器では、上記開口部形成用部材は、針であることが望ましい。
開口部形成用部材が針であると、針をパウチに貫通させることで、開口部を形成することができる。
【００１３】
本発明の容器では、上記開口部形成用部材は、刃であることが望ましい。
開口部形成用部材が刃であると、刃によりパウチを切ることにより開口部を形成することができる。
【００１４】
本発明の容器では、上記開口部形成用部材は、はさみであることが望ましい。
開口部形成用部材がはさみであると、はさみでパウチを切ることにより、パウチに開口部を形成することができる。
【００１５】
本発明の容器では、上記開口部形成用部材は、パンチであることが望ましい。
開口部形成用部材がパンチであると、パンチによりパウチに孔を形成することで開口部を形成することができる。
【００１６】
本発明の容器では、上記開口部形成用部材は、上記パウチの一部をパウチ片とし、上記パウチと上記パウチ片とを接続させたまま上記開口部を形成する機能を有することが望ましい。
パウチに開口部を形成する場合、パウチの一部を切断等することによりパウチ片を分離させると、パウチ片が容器に混入することがある。
開口部形成用部材が、パウチとパウチ片とが接続するように開口部を形成する機能を有すると、パウチ片が容器に混入することを防ぐことができる。
【００１７】
本発明の開口部形成用器具は、容器の入口に取り付けるための装着部材と、パウチに開口部を形成するための機能を有する開口部形成用部材とを備えることを特徴とする。
【００１８】
本発明の開口部形成用器具は、容器の入口に取り付けるための装着部材を備える。
そのため、開口部形成用部材を備えていない容器に後から開口部形成用部材を付与することができる。
【００１９】
また、作業者は、容器に装着された本発明の開口部形成用器具の開口部形成用部材を用いることにより、容易にパウチに開口部を形成することができる。また、パウチに開口部を形成後、速やかにパウチの内容物を、入口を通じ容器に移すことができる。
【発明の効果】
【００２０】
本発明の容器を使用することにより、作業者は、容易にパウチに開口部を形成することができる。また、パウチに開口部を形成後、速やかにパウチの内容物を、入口を通じ容器に移すことができる。
【図面の簡単な説明】
【００２１】
【図１】図１（ａ）は、開口部形成用部材が針である本発明の容器の一例を模式的に示す斜視図である。図１（ｂ）は、図１（ａ）に示す容器の入口の拡大図である。
【図２】図２（ａ）〜（ｃ）は、本発明の容器に、パウチに封入された液体洗剤を注ぐ工程を順に模式的に示した工程図である。
【図３】図３（ａ）は、針収容機構を有する本発明の容器の入口の一例を模式的に示す模式図である。図３（ｂ）は、図３（ａ）に示す容器において針が収容された様子を模式的に示す模式図である。
【図４】図４（ａ）は、ばね機構を備える針収容機構を有する本発明の容器の入口の一例を模式的に示す斜視図である。図４（ｂ）は、図４（ａ）に示す容器の断面図である。図４（ｃ）は、図４（ｂ）に示す容器において針が露出している様子を模式的に示す断面図である。
【図５】図５（ａ）〜（ｃ）は、本発明の容器に、パウチに封入された液体洗剤を注ぐ工程を順に模式的に示した工程図である。
【図６】図６（ａ）は、押付機構を有する本発明の容器の入口の一例を模式的に示す模式図である。図６（ｂ）は、図６（ａ）に示す容器において針をパウチに押し付ける状態を模式的に示す模式図である。
【図７】図７（ａ）は、開口部形成用部材が刃である本発明の容器の一例を模式的に示す斜視図である。図７（ｂ）は、図７（ａ）に示す容器の入口の拡大図である。
【図８】図８（ａ）〜（ｃ）は、本発明の容器に、パウチに封入された液体洗剤を注ぐ工程を順に模式的に示した工程図である。
【図９】図９（ａ）は、刃収容機構を有する本発明の容器の入口の一例を模式的に示す模式図である。図９（ｂ）は、図９（ａ）に示す容器において刃が収容された様子を模式的に示す模式図である。
【図１０】図１０（ａ）は、ばね機構を備える刃収容機構を有する本発明の容器の入口の一例を模式的に示す斜視図である。図１０（ｂ）は、図１０（ａ）に示す容器の断面図である。図１０（ｃ）は、図１０（ｂ）に示す容器において刃が露出している様子を模式的に示す断面図である。
【図１１】図１１（ａ）〜（ｃ）は、本発明の容器に、パウチに封入された液体洗剤を注ぐ工程を順に模式的に示した工程図である。
【図１２】図１２（ａ）は、開口部形成用部材がはさみである本発明の容器の一例を模式的に示す斜視図である。図１２（ｂ）は、図１２（ａ）に示す容器の入口の拡大図である。
【図１３】図１３（ａ）〜（ｃ）は、本発明の容器に、パウチに封入された液体洗剤を注ぐ工程を順に模式的に示した工程図である。
【図１４】図１４（ａ）は、開口部形成用部材がパンチである本発明の容器の一例を模式的に示す斜視図ある。図１４（ｂ）は、図１４（ａ）に示す容器の入口の拡大図である。
【図１５】図１５（ａ）〜（ｃ）は、本発明の容器に、パウチに封入された液体洗剤を注ぐ工程を順に模式的に示した工程図である。
【図１６】図１６は、開口部形成用部材が針である本発明の開口部形成用器具の一例を模式的に示す斜視図である。
【図１７】図１７は、本発明の開口部形成用器具が取り付けられた容器の一例を模式的に示す斜視図である。
【発明を実施するための形態】
【００２２】
以下、本発明について、具体的な実施形態を示しながら説明するが、本発明はこれらの実施形態だけに限定されるものではない。
【００２３】
本発明の容器は、入口を有する容器であって、入口には、パウチに開口部を形成するための機能を有する開口部形成用部材が備えられていることを特徴とする。
【００２４】
本発明の容器には、入口に開口部形成用部材が備えられている。
そのため、作業者は開口部形成用部材を用いることにより、容易にパウチに開口部を形成することができる。また、パウチに開口部を形成後、速やかにパウチの内容物を、入口を通じ容器に移すことができる。
【００２５】
本発明の容器に収容する物質の状態は特に限定されず、液体であっても、粉体等の固体であってもよい。
【００２６】
本発明の容器では、パウチに開口部を形成することができれば、開口部形成用部材はどのような部材であってもよい。
また、本発明の効果を得られる範囲であれば、本発明の容器は、他にどのような構成を有していてもよい。
【００２７】
また、開口部形成用部材により開口部を形成するパウチには、液体が封入されていていてもよく、粉体等の固体が封入されていてもよい。
【００２８】
本発明の容器は、液体洗剤用容器であり、上記開口部形成用部材は、液体洗剤が封入されたパウチに開口部を形成するための機能を有することが望ましい。
【００２９】
パウチに液体洗剤が封入されている場合、作業者が、パウチを手で引き裂いて開口部を形成する場合、適当な広さの開口部を形成できない場合や、パウチを引き裂いた衝撃で液体がこぼれて作業者の手等に付着するおそれがある。
本発明の容器には、開口部形成用部材が備えられているので、作業者は適当な広さの開口部を形成することができる。また、余分な力を加えることなくパウチに開口部を形成することができるので、パウチを引き裂いた衝撃で液体がこぼれることを防止することができる。
【００３０】
また、パウチに開口部を形成してからパウチを移動させる場合、振動によりパウチ内の液体洗剤がこぼれてしまうことがある。
しかし、容器の入口に開口部形成用部材が備えられていると、パウチに開口部を形成すると同時に、パウチに封入された液体洗剤を容器に注ぐことができる。従って、パウチから液体洗剤がこぼれることを防止することができる。
【００３１】
本発明の容器が、液体洗剤用容器であり、開口部形成用部材が、液体洗剤が封入されたパウチに開口部を形成するための機能を有する場合について以下に説明する。
【００３２】
（第一実施形態）
本発明の容器において、開口部形成用部材が針である場合について図面を用いて詳述する。
【００３３】
図１（ａ）は、開口部形成用部材が針である本発明の容器の一例を模式的に示す斜視図である。図１（ｂ）は、図１（ａ）に示す容器の入口の拡大図である。
図１（ａ）及び図１（ｂ）に示すように、容器１は、入口１０を有する液体洗剤用容器であって、入口１０の内壁には、液体洗剤が封入されたパウチに開口部を形成するための機能を有する開口部形成用部材である針２０が備えられている。
【００３４】
容器１は、濃縮液体洗剤を希釈して保管するための容器であってもよく、液体洗剤をそのまま保管するための容器であってもよい。
また、容器１の材料は、ポリエチレン、ポリプロピレン、ポリエチレンテレフタレート等であることが望ましい。これらの材料は、液体洗剤によって劣化しにくい。
【００３５】
容器１の大きさや、入口１０の大きさは、使用する液体洗剤の用途、種類に応じ適宜決定することができる。
【００３６】
針２０の材料は、炭素鋼、合金鋼、アルミニウム合金、硬質プラスチック、セラミックス等であることが望ましい。また、針２０は、単独の材料からなっていてもよく、複数の材料からなっていてもよい。
これらの材料は、液体洗剤によって劣化しにくい。
【００３７】
針２０の大きさや、太さは、容器の大きさや、パウチの大きさ及び材質に応じて適宜決定することができる。
【００３８】
また、本発明の容器には、１本の針が備えられていてもよく、複数本の針が備えられていてもよい。
【００３９】
容器１に、パウチから液体洗剤を注ぐ方法について説明する。
図２（ａ）〜（ｃ）は、本発明の容器に、パウチに封入された液体洗剤を注ぐ工程を順に模式的に示した工程図である。
【００４０】
まず、図２（ａ）に示すように、液体洗剤７０が封入されたパウチ６０の一部を、容器１の入口１０に入れる。
【００４１】
次に、図２（ｂ）に示すように、針２０をパウチ６０に貫通させることにより、パウチ６０に開口部６１を形成する。
【００４２】
次に、図２（ｃ）に示すように、パウチ６０の開口部６１から液体洗剤７０を、容器１に注ぐ。
【００４３】
このように、パウチ６０に開口部６１を形成すると同時に、パウチ６０に封入された液体洗剤７０を容器１に注ぐことにより、パウチ６０から液体洗剤７０がこぼれることを防止することができる。
【００４４】
パウチ６０の材質は、特に限定されないが、ポリエチレン、ナイロン、ポリエチレンテレフタレート等であることが望ましい。また、パウチ６０は、これらが積層されて形成されていてもよい。
パウチ６０の大きさは、封入する液体洗剤の種類、用途に応じて適宜決定することができる。
【００４５】
液体洗剤７０としては、食器洗浄用洗剤、シャンプー、ボディーソープ等の液体洗剤であってもよい。
【００４６】
また、液体洗剤７０は、濃縮液体洗剤であることが望ましい。
液体洗剤７０が濃縮液体洗剤である場合、液体洗剤７０を容器１に注いだ後、水で希釈することにより、使用に適した濃度にすることができる。
【００４７】
また、容器は、針を収容する機構を備えていてもよい。
容器が、針収容機構を備える場合について図面を用いて説明する。
図３（ａ）は、針収容機構を有する本発明の容器の入口の一例を模式的に示す模式図である。図３（ｂ）は、図３（ａ）に示す容器において針が収容された様子を模式的に示す模式図である。
【００４８】
図３（ａ）に示すように、入口１０ａは、針収容機構２１を備えていてもよい。
針収容機構２１は、入口１０ａの内壁に配置された針２０を収容するための空隙２１ａと、針２０ａを回転させ空隙２１ａに収容させるための可動機構２１ｂとからなる。
図３（ｂ）に示すように、可動機構２１ｂにより針２０ａを回転させ、空隙２１ａに収容することにより、針２０ａの先端を覆うことができる。
このように、針２０ａを空隙２１ａに収容することにより、液体洗剤７０を容器１ａに注ぐ以外の作業において、作業者の手に刺傷が生じることを防止することができる。
【００４９】
また、本発明の容器では、針収容機構がばね機構を備えており、使用時にのみ針を外部に露出させるような機能を有していてもよい。
針収容機構がばね機構を備える場合について図面を用いて説明する。
図４（ａ）は、ばね機構を備える針収容機構を有する本発明の容器の入口の一例を模式的に示す斜視図である。図４（ｂ）は、図４（ａ）に示す容器の断面図である。図４（ｃ）は、図４（ｂ）に示す容器において針が露出している様子を模式的に示す断面図である。
【００５０】
図４（ａ）及び（ｂ）に示すように、入口１０ｂは、針収容機構２２を備えていてもよい。
針収容機構２２は、針２０ｂを収容する針収容部２２ａと、針収容部２２ａを滑動させるためのレール部２２ｃと、滑動した針収容部２２ａをもとの位置に戻すためのばね機構２２ｄとからなる。
また、針収容部２２ａには、針２０ｂを露出させるための針露出口２２ｂが形成されている。
また、針２０ｂは、斜め上向きに入口１０ｂに形成されている。
【００５１】
図４（ｃ）に示すように、針収容部２２ａに上から圧力をかけると、針収容部２２ａが、レール部２２ｃに沿って下に滑動する。これにより、針２０ｂが針露出口２２ｂから露出することになる。
また、針収容部２２ａへの圧力を取り除くと、ばね機構２２ｄにより針収容部２２ａが元の位置に戻り、針２０ｂが針収容部２２ａに収容されることになる。
【００５２】
このような機構を有する容器に、パウチから液体洗剤を注ぐ方法について説明する。
図５（ａ）〜（ｃ）は、本発明の容器に、パウチに封入された液体洗剤を注ぐ工程を順に模式的に示した工程図である。
【００５３】
まず、図５（ａ）に示すように、液体洗剤７０が封入されたパウチ６０の一部を、入口１０ｂに入れる。この際、パウチ６０が、針収容部２２ａの針露出口２２ｂに接触するようにする。
【００５４】
次に、図５（ｂ）に示すように、パウチ６０を押込み、針収容部２２ａに上からの圧力をかけることにより、針収容部２２ａを滑動させ、針露出口２２ｂから針２０ｂを露出させる。
この際、針２０ｂは、パウチ６０を貫通し、パウチ６０に開口部６１を形成する。
【００５５】
次に、図５（ｃ）に示すように、パウチ６０を針収容機構２２からずらし、パウチ６０の開口部６１から液体洗剤７０を容器に注ぐ。
【００５６】
また、容器は、針をパウチに押し付ける押付機構を備えていてもよい。
容器が、パンチ機構を備える場合について図面を用いて説明する。
図６（ａ）は、押付機構を有する本発明の容器の入口の一例を模式的に示す模式図である。図６（ｂ）は、図６（ａ）に示す容器において針をパウチに押し付ける状態を模式的に示す模式図である。
【００５７】
図６（ａ）に示すように、容器は、針２０ｃをパウチに押し付ける押付機構２５を備えていてもよい。
押付機構２５は、Ｕ字型であり、内壁の一方の先端には針２０ｃが形成されている。
また、押付機構２５の弧の部分は、入口１０ｃの内壁と接続している。
押付機構２５の基材は、柔らかく弾力がある素材であり、Ｕ字型の両先端部分に内側に向かって圧力をかけた際に、曲がることができる。
【００５８】
そのため、図６（ｂ）に示すように、押付機構２５の内側にパウチ６０を挟み、指等により押付機構２５のＵ字型の両先端部分に内側に向かって圧力をかけると、押付機構２５に形成された針２０ｃがパウチ６０を貫くことになる。これにより、パウチ６０に開口部６１を形成することができる。
【００５９】
押付機構２５の材料としては、特に限定されないが、炭素鋼、合金鋼、アルミニウム合金、硬質プラスチック、セラミックス等であることが望ましい。また、押付機構２５は、単独の材料からなっていてもよく、複数の材料からなっていてもよい。
【００６０】
（第二実施形態）
本発明の容器において、開口部形成用部材が刃である場合について図面を用いて詳述する。
【００６１】
図７（ａ）は、開口部形成用部材が刃である本発明の容器の一例を模式的に示す斜視図である。図７（ｂ）は、図７（ａ）に示す容器の入口の拡大図である。
図７（ａ）及び図７（ｂ）に示すように、容器１０１は、入口１１０を有する液体洗剤用容器であって、入口１１０の内壁には、液体洗剤が封入されたパウチに開口部を形成するための機能を有する開口部形成用部材である刃１３０が備えられている。
また、容器１０１において、刃１３０は入口１１０の注入方向（図７（ｂ）中矢印で示す方向）と垂直な方向に形成されている。
【００６２】
容器１０１の用途、材料、大きさ及び入口１１０の大きさは、上記容器１の用途、材料、大きさ及び入口１０の大きさと同じであることが望ましい。
【００６３】
刃１３０の材料は、炭素鋼、合金鋼、アルミニウム合金、硬質プラスチック、セラミックス等であることが望ましい。また、刃１３０は、単独の材料からなっていてもよく、複数の材料からなっていてもよい。
これらの材料は、液体洗剤によって劣化しにくい。
【００６４】
刃１３０の大きさは、容器の大きさや、パウチの大きさ及び材質に応じて適宜決定することができる。
【００６５】
なお、本発明の容器には、１枚の刃が備えられていてもよく、複数枚の刃が備えられていてもよい。
【００６６】
容器１０１に、パウチから液体洗剤を注ぐ方法について説明する。
図８（ａ）〜（ｃ）は、本発明の容器に、パウチに封入された液体洗剤を注ぐ工程を順に模式的に示した工程図である。
【００６７】
まず、図８（ａ）に示すように、液体洗剤１７０が封入されたパウチ１６０の一部を、容器１０１の入口１１０に入れる。
【００６８】
次に、図８（ｂ）に示すように、パウチ１６０の一部に刃１３０を当て、パウチ１６０を入口１１０の注入方向を軸として回転させることにより開口部１６１を形成する。
【００６９】
次に、図８（ｃ）に示すように、パウチ１６０の開口部１６１から液体洗剤１７０を、容器１０１に注ぐ。
【００７０】
このように、パウチ１６０に開口部１６１を形成すると同時に、パウチ１６０に封入された液体洗剤１７０を容器１０１に注ぐことにより、パウチ１６０から液体洗剤１７０がこぼれることを防止することができる。
【００７１】
パウチ１６０の材質、大きさ、及び、液体洗剤１７０の種類は、上記パウチ６０及び液体洗剤７０と同じであることが望ましい。
【００７２】
なお、本発明の容器では、刃は入口の注入方向と平行な方向に形成されていてもよい。
刃が入口の注入方向と平行な方向に形成されていると、パウチの一部に刃を当て、パウチを入口の注入方向に移動させることによりパウチに開口部を形成することができる。
【００７３】
また、容器は、刃を収容する機構を備えていてもよい。
容器が、刃収容機構を備える場合について図面を用いて説明する。
図９（ａ）は、刃収容機構を有する本発明の容器の入口の一例を模式的に示す模式図である。図９（ｂ）は、図９（ａ）に示す容器において刃が収容された様子を模式的に示す模式図である。
【００７４】
図９（ａ）に示すように、入口１１０ａは、刃収容機構１３１を備えていてもよい。
刃収容機構１３１は、入口１１０ａの内壁に配置された刃１３０ａを収容するための空隙１３１ａと、刃１３０ａを回転させ空隙１３１ａに収容させるための可動機構１３１ｂとからなる。
図９（ｂ）に示すように、可動機構１３１ｂにより刃１３０ａを回転させ、空隙１３１ａに収容することにより、刃１３０ａの先端を覆うことができる。
このように、刃１３０ａを空隙１３１ａに収容することにより、液体洗剤１７０を容器１０１に注ぐ以外の作業において、作業者の手に切傷が生じることを防止することができる。
【００７５】
また、本発明の容器では、刃収容機構がばね機構を備えており、使用時にのみ刃を外部に露出させるような機能を有していてもよい。
刃収容機構がばね機構を備える場合について図面を用いて説明する。
図１０（ａ）は、ばね機構を備える刃収容機構を有する本発明の容器の入口の一例を模式的に示す斜視図である。図１０（ｂ）は、図１０（ａ）に示す容器の断面図である。図１０（ｃ）は、図１０（ｂ）に示す容器において刃が露出している様子を模式的に示す断面図である。
【００７６】
図１０（ａ）及び（ｂ）に示すように、入口１１０ｂは、刃収容機構１３２を備えていてもよい。
刃収容機構１３２は、刃１３０ｂを収容する刃収容部１３２ａと、刃収容部１３２ａを滑動させるためのレール部１３２ｃと、滑動した刃収容部１３２ａをもとの位置に戻すためのばね機構１３２ｄとからなる。
また、刃収容部１３２ａには、刃１３０ｂを露出させるための刃露出口１３２ｂが形成されている。
また、刃１３０ｂは、入口１１０ｂの注入方向と平行な方向に形成されている。
【００７７】
図１０（ｃ）に示すように、刃収容部１３２ａに上から圧力をかけると、刃収容部１３２ａが、レール部１３２ｃに沿って下に滑動する。これにより、刃１３０ｂが刃露出口１３２ｂから露出することになる。
また、刃収容部１３２ａへの圧力を取り除くと、ばね機構１３２ｄにより刃収容部１３２ａが元の位置に戻り、刃１３０ｂが刃収容部１３２ａに収容されることになる。
【００７８】
このような機構を有する容器に、パウチから液体洗剤を注ぐ方法について説明する。
図１１（ａ）〜（ｃ）は、本発明の容器に、パウチに封入された液体洗剤を注ぐ工程を順に模式的に示した工程図である。
【００７９】
まず、図１１（ａ）に示すように、液体洗剤１７０が封入されたパウチ１６０の一部を、入口１１０ｂに入れる。この際、パウチ１６０が、刃収容部１３２ａの刃露出口１３２ｂに接触するようにする。
【００８０】
次に、図１１（ｂ）に示すように、パウチ１６０を押込み、刃収容部１３２ａに上からの圧力をかけることにより、刃収容部１３２ａを滑動させ、刃露出口１３２ｂから刃１３０ｂを露出させる。
この際、刃１３０ｂは、パウチ１６０を切り、パウチ１６０に開口部１６１を形成する。
【００８１】
次に、図１１（ｃ）に示すように、パウチ１６０を刃収容機構１３２からずらし、パウチ１６０の開口部１６１から液体洗剤１７０を容器に注ぐ。
【００８２】
（第三実施形態）
本発明の容器において、開口部形成用部材がはさみである場合について図面を用いて詳述する。
【００８３】
図１２（ａ）は、開口部形成用部材がはさみである本発明の容器の一例を模式的に示す斜視図である。図１２（ｂ）は、図１２（ａ）に示す容器の入口の拡大図である。
図１２（ａ）及び図１２（ｂ）に示すように、容器２０１は、入口２１０を有する液体洗剤用容器であって、入口２１０には、液体洗剤が封入されたパウチに開口部を形成するための機能を有する開口部形成用部材であるはさみ２４０が備えられている。
また、はさみ２４０の柄２４１には、はさみ２４０が完全に閉じないようにするためのストッパー２４５が形成されている。
【００８４】
容器２０１の用途、材料、大きさ及び入口２１０の大きさは、上記容器１の用途、材料、大きさ及び入口１０の大きさと同じであることが望ましい。
【００８５】
はさみ２４０の材料は、炭素鋼、合金鋼、アルミニウム合金、硬質プラスチック、セラミックス等であることが望ましい。また、はさみ２４０は、単独の材料からなっていてもよく、複数の材料からなっていてもよい。
これらの材料は、液体洗剤によって劣化しにくい。
【００８６】
はさみ２４０の大きさは、容器の大きさや、パウチの大きさ及び材質に応じて適宜決定することができる。
【００８７】
容器２０１に、パウチから液体洗剤を注ぐ方法について説明する。
図１３（ａ）〜（ｃ）は、本発明の容器に、パウチに封入された液体洗剤を注ぐ工程を順に模式的に示した工程図である。
【００８８】
まず、図１３（ａ）に示すように、液体洗剤２７０が封入されたパウチ２６０の一部を、容器２０１の入口２１０に入れる。
【００８９】
次に、図１３（ｂ）に示すように、はさみ２４０でパウチ２６０の一部を切りパウチ片２６２とすることにより、パウチ２６０に開口部２６１を形成する。
【００９０】
また、はさみ２４０の柄２４１には、ストッパー２４５が形成されているので、はさみ２４０は完全に閉じることがない。そのため、パウチ片２６２は、パウチ２６０から分離されず、パウチ２６０とパウチ片２６２とを接続したまま開口部２６１を形成することができる。
すなわち、はさみ２４０は、パウチ２６０の一部をパウチ片２６２とし、パウチ２６０とパウチ片２６２とを接続させたまま開口部２６１を形成する機能を有する。
パウチ２６０に開口部２６１を形成する場合、パウチ２６０の一部を切断等することによりパウチ片２６２を分離させると、パウチ片２６２が容器２０１内の液体洗剤に混入することがある。
しかし、上記のようにはさみ２４０が、パウチ２６０とパウチ片２６２とが接続するように開口部２６１を形成する機能を有すると、パウチ片２６２が容器２０１内の液体洗剤に混入することを防ぐことができる。
【００９１】
次に、図１３（ｃ）に示すように、パウチ２６０の開口部２６１から液体洗剤２７０を容器２０１に注ぐ。
【００９２】
このように、パウチ２６０に開口部２６１を形成すると同時に、パウチ２６０に封入された液体洗剤２７０を容器２０１に注ぐことにより、パウチ２６０から液体洗剤２７０がこぼれることを防止することができる。
【００９３】
パウチ２６０の材質、大きさ、及び、液体洗剤２７０の種類は、上記パウチ６０及び液体洗剤７０と同じであることが望ましい。
【００９４】
（第四実施形態）
本発明の容器において、開口部形成用部材がパンチである場合について図面を用いて詳述する。
【００９５】
図１４（ａ）は、開口部形成用部材がパンチである本発明の容器の一例を模式的に示す斜視図ある。図１４（ｂ）は、図１４（ａ）に示す容器の入口の拡大図である。
図１４（ａ）及び図１４（ｂ）に示すように、容器３０１は、入口３１０を有する液体洗剤用容器であって、入口３１０には、液体洗剤が封入されたパウチに開口部を形成するための機能を有する開口部形成用部材であるパンチ３５０が備えられている。
また、パンチ３５０の刃３５１には、パウチに孔を形成する際に、パンチによるパウチ片がパウチから分離しないようにするため、隙間３５２が形成されている。
【００９６】
容器３０１の用途、材料、大きさ及び入口３１０の大きさは、上記容器１の用途、材料、大きさ及び入口１０の大きさと同じであることが望ましい。
【００９７】
パンチ３５０の材料は、炭素鋼、合金鋼、アルミニウム合金、硬質プラスチック、セラミックス等であることが望ましい。また、パンチ３５０は、単独の材料からなっていてもよく、複数の材料からなっていてもよい。
これらの材料は、液体洗剤によって劣化しにくい。
【００９８】
パンチ３５０の大きさは、容器の大きさや、パウチの大きさ及び材質に応じて適宜決定することができる。
【００９９】
容器３０１に、パウチから液体洗剤を注ぐ方法について説明する。
図１５（ａ）〜（ｃ）は、本発明の容器に、パウチに封入された液体洗剤を注ぐ工程を順に模式的に示した工程図である。
【０１００】
まず、図１５（ａ）に示すように、液体洗剤３７０が封入されたパウチ３６０の一部を、容器３０１の入口３１０に入れる。
【０１０１】
次に、図１５（ｂ）に示すように、パンチ３５０によりパウチ３６０に孔を形成することで開口部３６１を形成する。
【０１０２】
また、パンチ３５０の刃３５１の一部は連続しておらず、隙間３５２となっているので、パウチ３６０に孔を形成する場合、パウチ片３６２は、パウチから分離されず、パウチ３６０とパウチ片３６２とを接続したまま開口部３６１を形成することができる。
すなわち、パンチ３５０は、パウチ３６０の一部をパウチ片３６２とし、パウチ３６０とパウチ片３６２とを接続させたまま開口部３６１を形成する機能を有する。
パウチ３６０に開口部３６１を形成する場合、パウチ片３６２が分離されるようにパウチ３６０に孔を形成すると、パウチ片３６２が容器３０１内の液体洗剤に混入することがある。
しかし、上記のようにパンチ３５０が、パウチ３６０とパウチ片３６２とが接続するように開口部３６１を形成する機能を有すると、パウチ片３６２が容器３０１内の液体洗剤に混入することを防ぐことができる。
【０１０３】
次に、図１５（ｃ）に示すように、パウチ３６０の開口部３６１から液体洗剤３７０を容器３０１に注ぐ。
【０１０４】
このように、パウチ３６０に開口部３６１を形成すると同時に、パウチ３６０に封入された液体洗剤３７０を容器３０１に注ぐことにより、パウチ３６０から液体洗剤３７０がこぼれることを防止することができる。
【０１０５】
パウチ３６０の材質、大きさ、及び、液体洗剤３７０の種類は、上記パウチ６０及び液体洗剤７０と同じであることが望ましい。
【０１０６】
次に、本発明の開口部形成用器具について説明する。
本発明の開口部形成用器具は、容器の入口に取り付けるための装着部材と、液体洗剤が封入されたパウチに開口部を形成するための機能を有する開口部形成用部材とを備えることを特徴とする。
【０１０７】
本発明の開口部形成用器具は、容器の入口に取り付けるための装着部材を備える。
そのため、開口部形成用部材を備えていない容器に後から開口部形成用部材を付与することができる。
【０１０８】
また、作業者は、容器に装着された本発明の開口部形成用器具の開口部形成用部材を用いることにより、容易にパウチに開口部を形成することができる。また、パウチに開口部を形成後、速やかにパウチの内容物を、入口を通じ容器に移すことができる。
【０１０９】
また、本発明の効果を得られる範囲であれば、本発明の開口部形成用器具は、装着部材及び開口部形成用部材以外の部材を備えていてもよい。
【０１１０】
（第五実施形態）
本発明の開口部形成用器具において、開口部形成用部材が針である場合について図面を用いて詳述する。
【０１１１】
図１６は、開口部形成用部材が針である本発明の開口部形成用器具の一例を模式的に示す斜視図である。
図１６に示すように、開口部形成用器具５０５は、円筒状の本体部５０６と、本体部５０６の外壁に形成されたフック状の装着部材５１５と、本体部５０６の内壁に形成された開口部形成用部材である針５２０とを備える。
【０１１２】
装着部材５１５は自身をひっかけることにより、開口部形成用器具５０５を容器の入口に取り付ける機能を有する。
【０１１３】
また、針５２０は、パウチに開口部を形成するための機能を有する。
すなわち、針５２０をパウチに貫通させることで、開口部を形成することができる。
【０１１４】
本体部５０６の材料はポリプロピレン、ポリエチレン等のプラスチック材料やステンレス鋼等の金属材料等であることが望ましい。これらの材料は、液体洗剤によって劣化しにくい。
【０１１５】
本体部５０６の大きさは、容器の大きさや、入口の大きさに合わせ適宜決定することができる。
【０１１６】
針５２０の大きさ、太さ、材料等は、上記針２０の大きさ、太さ、材料等と同じであることが望ましい。
【０１１７】
次に、開口部形成用器具５０５が入口に取り付けられた容器について説明する。
図１７は、本発明の開口部形成用器具が取り付けられた容器の一例を模式的に示す斜視図である。
【０１１８】
図１７に示すように、開口部形成用器具５０５は、装着部材５１５により容器５０１の入口５１０に取り付けられることになる。
このように、開口部形成用器具５０５を装着することにより、開口部形成部材を備えていない容器５０１に後から針５２０を備えさせることができる。
【０１１９】
また、開口部形成用器具５０５の針５２０によりパウチに開口部を形成することにより、パウチに開口部を形成すると同時に、パウチに封入された内容物を容器５０１に移すことができる。
【０１２０】
（その他の実施形態）
上記本発明の第五実施形態に係る開口部形成用器具では、本体部は円環状であったが、本発明の開口部形成用器具では、本体部の形状は特に限定されず、半円状、棒状等の形状であってもよい。
【０１２１】
また、本発明の開口部形成用器具では、本体部がなく、装着部材と開口部形成部材とが一体化していてもよい。
【０１２２】
上記本発明の第五実施形態に係る開口部形成用器具では、装着部材はフック状であったが、本発明の開口部形成用器具では、装着部材は、開口部形成用器具を容器の入口に取り付ける機能を有しさえすれば、どのような態様であってもよい。
例えば、装着部材は、ねじ、クリップ、接着テープ等であってもよい。
【０１２３】
上記本発明の第五実施形態に係る開口部形成用器具では、開口部形成部材は針であったが、本発明の開口部形成用器具では、開口部形成部材は刃であってもよく、はさみであってもよく、パンチであってもよい。
開口部形成用部材が刃であると、刃によりパウチを切ることにより開口部を形成することができる。
開口部形成用部材がはさみであると、はさみでパウチを切ることにより開口部を形成することができる。
開口部形成用部材がパンチであると、パンチによりパウチに孔を形成することで開口部を形成することができる。
【０１２４】
また、本発明の開口部形成用器具では、開口部形成用部材は、パウチの一部をパウチ片とし、パウチと上記パウチ片とを接続させたまま上記開口部を形成する機能を有することが望ましい。
パウチに開口部を形成する場合、パウチの一部を切断等することによりパウチ片を分離させると、パウチ片が容器内に混入することがある。
開口部形成用部材が、パウチとパウチ片とが接続するように開口部を形成する機能を有すると、パウチ片が容器内に混入することを防ぐことができる。
【符号の説明】
【０１２５】
１、１ａ、１０１、２０１、３０１、５０１  容器
１０、１０ａ、１０ｂ、１０ｃ、１１０、１１０ａ、１１０ｂ、２１０、３１０、５１０  入口
２０、２０ａ、２０ｂ、２０ｃ、５２０  針
２１、２２  針収容機構
２１ａ、１３１ａ  空隙
２１ｂ、１３１ｂ  可動機構
２２ａ  針収容部
２２ｂ  針露出口
２２ｃ、１３２ｃ  レール部
２２ｄ、１３２ｄ  ばね機構
２５  押付機構
６０、１６０、２６０、３６０  パウチ
６１、１６１、２６１、３６１  開口部
７０、１７０、２７０、３７０  液体洗剤
１３０、１３０ａ、１３０ｂ  刃
１３１、１３２  刃収容機構
１３２ａ  刃収容部
１３２ｂ  刃露出口
２４０  はさみ
２４１  柄
２４５  ストッパー
２６２、３６２  パウチ片
３５０  パンチ
３５１  パンチの刃
３５２  隙間
５０５  開口部形成用器具
５０６  本体部
５１５  装着部材
【図１】
2018199513.tif 000003
【図２】
2018199513.tif 000004
【図３】
2018199513.tif 000005
【図４】
2018199513.tif 000006
【図５】
2018199513.tif 000007
【図６】
2018199513.tif 000008
【図７】
2018199513.tif 000009
【図８】
2018199513.tif 000010
【図９】
2018199513.tif 000011
【図１０】
2018199513.tif 000012
【図１１】
2018199513.tif 000013
【図１２】
2018199513.tif 000014
【図１３】
2018199513.tif 000015
【図１４】
2018199513.tif 000016
【図１５】
2018199513.tif 000017
【図１６】
2018199513.tif 000018
【図１７】
2018199513.tif 000019